(57)【要約】  画面を表示する表示部と、この表示部と一体に変形して当該変形に対応する信号を出力する複数の検出センサと、これらの複数の検出センサで検出された変形に係る検出データに基づいて、前記表示部上の座標データの変換を行う制御部と、  を有する表示装置。典型的には、前記制御部は、複数の方向に配置される前記複数の検出センサからの検出データに基づき、前記検出センサの配置方向に対応した前記表示部上の座標点の移動方向とともに、その移動量及び移動速度を演算する。
2016043138.tif 000002
【特許請求の範囲】
【請求項１】
画面を表示する表示部と、
この表示部と一体に変形して当該変形に対応する信号を出力する複数の検出センサと、
これらの複数の検出センサで検出された変形に係る検出データに基づいて、前記表示部上の座標データの変換を行う制御部と、
を有することを特徴とする表示装置。
【請求項２】
前記制御部は、複数の方向に配置される前記複数の検出センサからの検出データに基づき、前記検出センサの配置方向に対応した前記表示部上の座標点の移動方向とともに、その移動量及び移動速度を演算することを特徴とする請求項１に記載の表示装置。
【請求項３】
前記制御部は、前記検出センサからの検出データに基づき、前記表示部の変形が大きいほど、前記検出センサの配置方向に対応した所定方向への座標点の移動量を大きくすることを特徴とする請求項１又は２のいずれか１項に記載の表示装置。
【請求項４】
前記制御部は、前記検出センサからの検出データに基づき、前記表示部の曲げる速さが大きいほど、前記検出センサの配置方向に対応した所定方向への座標点の移動速度を大きくすることを特徴とする請求項１〜３のいずれか１項に記載の表示装置。
【請求項５】
前記検出センサは、前記表示部の歪み検出方向を互いに異ならせて配置されたことを特徴とする請求項１〜４のいずれか１項に記載の表示装置。
【請求項６】
前記検出センサは、前記表示部の縁部に沿ってそれぞれ配置されたことを特徴とする請求項１〜５のいずれか１項に記載の表示装置。
【請求項７】
前記検出センサは、前記表示部の隅部に集中して配置されたことを特徴とする請求項１〜６のいずれか１項に記載の表示装置。
【請求項８】
前記検出センサは、前記表示部の下部の一つの隅部に配置されたことを特徴とする請求項７に記載の表示装置。
【請求項９】
前記座標点は、前記表示部内の表示画面上のポインタに対応していることを特徴とする請求項１〜８のいずれか１項に記載の表示装置。
【請求項１０】
前記表示部は、柔軟性を有するシート状部材で構成されることを特徴とする請求項１〜９のいずれか１項に記載の表示装置。
【請求項１１】
表示部と一体に変形して当該変形に対応する信号を出力する複数の検出センサからの検出データを取り込む段階と、
これら複数の検出センサから取り込んだ検出データに基づき、表示部上の座標データの変換を行う段階と、を有することを特徴とする表示方法。
【請求項１２】
表示部と一体に変形して当該変形に対応する信号を出力する複数の検出センサからの検出データを取り込む段階と、
これら複数の検出センサから取り込んだ検出データに基づき、表示部上の座標データの変換を行う段階と、を有することを特徴とする表示プログラム。
【発明の詳細な説明】
【技術分野】
【０００１】
本発明は、ユーザーが表示部を操作することにより、表示画面を操作することができる表示装置、表示方法及び表示プログラムに関する。
【背景技術】
【０００２】
弾性変形可能なフレキシブルな表示装置が多く用いられている。これら表示装置は、例えば、電気泳動現象を利用した電子ペーパーや有機ＥＬディスプレイを情報の表示手段、あるいは入力手段として用いた種々の電子機器に採用されつつある。
例えば、特許文献１に示される表示装置は、筐体の一部又は全部が可撓性を有しており、表示部の曲げられている部分を検出する検出部と、該検出部により検出された表示部の曲げられている部分の位置及び曲げ度合に応じて該表示部の表示内容を切り替える表示切替部と、を備える構成となっている。
【先行技術文献】
【特許文献】
【０００３】
【特許文献１】特開２０１０−１５７０６０公報
【発明の概要】
【発明が解決しようとする課題】
【０００４】
上述のように、特許文献１に示される表示装置は、検出部により検出された表示部の曲げられている部分の位置及び曲げ度合に応じて該表示部の表示内容を切り替えるものである。
具体的には、表示切替部は：
(i) 表示部全体が凹型に曲げられたと判定された場合、表示内容をズームイン制御に切り替える
(ii) 表示部全体が凸型に曲げられたと判定された場合、表示内容をズームアウト制御に切り替える
(iii) 表示部の端部が曲げられていると判定された場合、前記表示部の表示内容の一部を切り替える
機能を有する。【０００５】
このような表示装置の検出部は、予め決められたＯＮ／ＯＦＦ動作をするスイッチとして使用されるに過ぎないものであり、当該検出部を使用して表示画面上のポインタ操作を行うようなことはできない。
このため、例えば、ポインタを画面上の任意の位置に移動させようとする場合には、ユーザーによるタッチパネル上での直接操作を必要とする他、カーソルボタン、マウスなどの別途な入力ツールを必要とし、操作上の不便が生じていた。【０００６】
この発明は、上述した事情に鑑みてなされたものであって、タッチパネル上での直接操作、又はカーソルボタン、マウスなどの別途の入力ツールを必要とせず、表示装置自身を操作することによって表示画面を操作することができる表示装置、表示方法及び表示プログラムを提供することを目的とする。
【課題を解決するための手段】
【０００７】
上記課題を解決するために、本発明は、画面を表示する表示部と、
この表示部と一体に変形して当該変形に対応する信号を出力する複数の検出センサと、
これらの複数の検出センサで検出された変形に係る検出データに基づいて、前記表示部上の座標データの変換を行う制御部と、
を有することを特徴とする表示装置を提供する。
本発明はまた、表示部と一体に変形して当該変形に対応する信号を出力する複数の検出センサからの検出データを取り込む段階と、
これら複数の検出センサから取り込んだ検出データに基づき、表示部上の座標データの変換を行う段階と、を有することを特徴とする表示方法も提供する。
本発明はまた、表示部と一体に変形して当該変形に対応する信号を出力する複数の検出センサからの検出データを取り込む段階と、
これら複数の検出センサから取り込んだ検出データに基づき、表示部上の座標データの変換を行う段階と、を有することを特徴とする表示プログラムも提供する。
【発明の効果】
【０００８】
本発明によれば、表示部自身を変形させる操作により、表示画面を操作することが可能となる。
【図面の簡単な説明】
【０００９】
【図１】本発明に係る表示装置を示す平面図である。
【図２】第１実施形態に係る表示装置の平面図である。
【図３】第１実施形態に係る表示装置の制御パターンを示す図である。
【図４】第１実施形態の制御部に関する制御内容を示すフローチャートである。
【図５Ａ】第１実施形態に係る表示装置の使用例を示す図であって、湾曲させる操作をした場合の図である。
【図５Ｂ】同様に、第１実施形態に係る表示装置の使用例を示す図であって、当該表示装置の画像を大画面モニターに表示した例を示す図である。
【図６Ａ】第２実施形態に係る表示装置の検出センサ配置パターンを示す図であって、図２の変形パターンを示す例である。
【図６Ｂ】同様に、第２実施形態に係る表示装置の検出センサ配置パターンを示す図であって、中央部に２本の上下に沿う検出センサが付加された例である。
【図６Ｃ】同様に、第２実施形態に係る表示装置の検出センサ配置パターンを示す図であって、中央部に２本の左右に沿う検出センサが付加された例である。
【図６Ｄ】同様に、第２実施形態に係る表示装置の検出センサ配置パターンを示す図であって、隅部に集中して検出センサを設けた例である。
【発明を実施するための形態】
【００１０】
図１は、本発明に係る表示装置Ｅの最小構成を示す図である。
この表示装置Ｅは、表示部１と一体に変形して当該変形に対応する信号を出力する複数の検出センサＳと、これらの複数の検出センサＳで検出された変形に係る検出データに基づき、表示部１上の座標データの変換を行う制御部２と、を有している。
【００１１】
表示部１は、表示装置Ｅのディスプレイとなるものであって、弾性変形可能なシート状の部材で形成されている。
検出センサＳは、表示部１と一体に変形して当該変形に対応する検出信号を出力するものであって、表示部１の裏面において異なる方向に複数設置（１つの方向に１つ以上）されている。
制御部２は、複数の方向に配置されるそれら複数の検出センサＳでの検出値に基づき、例えば、検出センサＳの配置方向に対応した表示部１上のポインタＰの移動方向とともに、移動量及び移動速度を演算し、その演算結果に基づき、表示部１上のポインタＰの座標変換を行うものである。
【００１２】
以上説明したように、前記表示装置Ｅによれば、表示部１の変形に対応する検出信号を出力する複数の検出センサＳを有し、制御部２にて、これらの複数の検出センサＳで検出された変形に係る検出データから、表示部１上のポインタＰの座標変換を行うようにした。
これにより、前記表示装置Ｅでは、ユーザーが表示部１を変形させるだけで、その変形に対応した検出データが複数の検出センサＳから出力されることから、当該検出データから、該表示部１上のポインタＰの座標変換を行うことが可能となる。
すなわち、本発明の表示装置Ｅでは、これまでのようなタッチパネル上での直接操作、又はカーソルボタン、マウスなどの別途な入力ツールを必要とせずに、表示部１を変形させるだけで、ポインタＰの座標データに基づき容易に表示画面上の操作を行うことが可能となる。
【００１３】
（第１実施形態）
本発明の第１実施形態に係る表示装置Ｅ１について、図２〜図５Ｂを参照して説明する。
図２は、第１実施形態に係る表示装置Ｅ１であって、表示部１１と一体に変形して当該変形に対応する信号を出力する複数の検出センサＳ´と、これらの複数の検出センサＳ´で検出された変形に係る検出データから、表示部１１上のポインタＰの座標変換を行う制御部１２と、を有している。
【００１４】
表示部１１は、表示装置Ｅ１のディスプレイとなるものであって、弾性変形可能な柔軟性を有するシート状部材で構成されている。
検出センサＳ´は、表示部１１と一体に変形して当該変形に対応する検出信号を出力する歪センサＳ１〜Ｓ４からなるものであって、表示部１１の裏面にて異なる方向（本例ではＸ及びＹ方向）に複数設置されている。
具体的には、図２で示されるように、歪センサＳ１は表示部１１の上縁部に沿うように配置され、歪センサＳ２は表示部１１の左縁部に沿うように配置され、歪センサＳ３は表示部１１の下縁部に沿うように配置され、歪センサＳ４は表示部１１の右縁部に沿うように配置されている。
【００１５】
制御部１２は、複数の方向に配置される複数の検出センサＳ１〜Ｓ４での検出値に基づき、例えば、検出センサＳ´の配置方向に対応した表示部１１上のポインタＰの座標変換を行うものであり、当該座標データに対応して表示部１１上でポインタの位置表示をする。
なお、以下の説明において、表示部１１が後ろ側に湾曲して伸びた場合を「プラス」で示し、表示部１１が手前側に湾曲して縮んだ場合を「マイナス」で示す。
【００１６】
具体的には、図３に示されるように、表示部１１の左上角部（符号Ａで示す）を後ろ側（プラス側）に湾曲させた場合には、表示部１１の上縁部に沿う歪センサＳ１と、該表示部１１の左縁部に沿う歪センサＳ２から、共にプラス方向の歪データが出力される。
これにより制御部１２は表示部１１の左上角部Ａが後ろ側（プラス側）に湾曲されたことを認識する。そして、該制御部１２では、このときの歪センサＳ１、Ｓ２から出力された歪データに基づき、表示部１１の表示画面上にあるポインタの座標を、該表示部１１の左上角部Ａに向けて変換し、これにより該ポインタを同方向に移動させる。
なお、本実施形態では、検出された歪量に応じて、変化が大きくなるほど＋（あるいは−）方向への座標変化が大きくなるように歪データを座標データに変換するが、例えば、歪量の変化（微分値）に応じて座標データを変換するなど、歪データをどのように変換するかは、表示装置自身の機能や表示されるコンテンツの内容によって適宜変更される。
【００１７】
また、表示部１１の右上角部（符号Ｂで示す）を後ろ側（プラス側）に湾曲させた場合には、表示部１１の上縁部に沿う歪センサＳ１と、該表示部１１の右縁部に沿う歪センサＳ４から共にプラス方向の歪データが出力される。これにより制御部１２は表示部１１の右上角部Ｂが後ろ側（プラス側）に湾曲されたことを認識する。そして、該制御部１２では、このときの歪センサＳ１、Ｓ４から出力された歪データに基づき、表示部１１の表示画面上にあるポインタの座標を、該表示部１１の右上角部Ｂに向けて変換し、これにより該ポインタを同方向に移動させる。
【００１８】
また、表示部１１の左下角部（符号Ｃで示す）を後ろ側（プラス側）に湾曲させた場合には、表示部１１の左縁部に沿う歪センサＳ２と、該表示部１１の下縁部に沿う歪センサＳ３から共にプラス方向の歪データが出力される。これにより制御部１２は表示部１１の左下角部Ｃが後ろ側（プラス側）に湾曲されたことを認識する。そして、該制御部１２では、このときの歪センサＳ２、Ｓ３から出力された歪データに基づき、表示部１１の表示画面上にあるポインタの座標を、該表示部１１の左下角部Ｃに向けて変換し、これにより該ポインタを同方向に移動させる。
【００１９】
また、表示部１１の右下角部（符号Ｄで示す）を後ろ側（プラス側）に湾曲させた場合には、表示部１１の下縁部に沿う歪センサＳ３と、該表示部１１の右縁部に沿う歪センサＳ４から共にプラス方向の歪データが出力される。これにより制御部１２は表示部１１の右下角部Ｄが後ろ側（プラス側）に湾曲されたことを認識する。そして、該制御部１２では、このときの歪センサＳ３、Ｓ４から出力された歪データに基づき、表示部１１の表示画面上にあるポインタの座標を、該表示部１１の右下角部Ｄに向けて変換し、これにより該ポインタを同方向に移動させる。
ここで、上述した処理は、各角部を後ろ側（プラス側）に湾曲させた場合に行うものであるが、手前側（マイナス側）に湾曲させた場合には、上述した方向（Ａ〜Ｄ方向）と逆の方向（例えば、表示部１１の左上角部（符号Ａで示す）を手前側（マイナス側）に湾曲させた場合には、Ｄ方向）に移動させる。
【００２０】
また、表示部１１の４つの角部を（即ち、表示部全体を）後ろ側に湾曲させた場合には、全ての歪センサＳ１〜Ｓ４がプラスとなり、これにより表示部１１の表示画面上にあるポインタの座標を変換することなく、表示画面のみを拡大する。
また、また、表示部１１の４つの角部を（即ち、表示部全体を）手前側に湾曲させた場合には、全ての歪センサＳ１〜Ｓ４がマイナスとなり、これにより表示部１１の表示画面上にあるポインタの座標を変換することなく、表示画面のみを縮小する。
また、上記座標の変換処理においては、例えば、各歪センサＳ１〜Ｓ４の検出データに対して、段階的にしきい値を設けておき、いずれのしきい値を越えたかにより、座標の移動量を演算するとともに、予め設定した時間内にいずれのしきい値に到達したかで、該座標の移動速度を演算する。
【００２１】
上述のような座標の変換処理に関する処理フローについて、図４を参照して説明する。なお、この処理フローは、制御部１２にて実行されるものであって、本発明の表示方法及び表示プログラムに基づいている。
【００２２】
〔ステップＳＰ１〕
まず、検出センサＳ´を構成している歪センサＳ１〜Ｓ４の各検出データを読み取り、次のステップＳＰ２に進む。
【００２３】
〔ステップＳＰ２〕
各歪センサＳ１〜Ｓ４の検出データにより示される各箇所の歪値が、段階的に設けたしきい値を越えたか否かを検出するとともに、予め設定した既定時間内にいずれのしきい値に到達したかを検出した後、ステップ３に進む。
なお、このステップＳＰ２では、任意の箇所の歪値が上昇中は、しきい値を越える毎にステップＳＰ１に戻って新たな歪センサＳ１〜Ｓ４の検出データを取り込むことで、最終的な湾曲状態に基づいて次のステップＳＰ３が実行されるようにしている。
【００２４】
〔ステップＳＰ３〕
ステップＳＰ２での検出結果に基づき、図３に示されるポインタの移動方向とともに、該ポインタの移動量及び移動速度を算出した後、先のステップＳＰ１に戻る。
【００２５】
以上説明したように第１実施形態に係る表示装置Ｅ１によれば、表示部１１の変形に対応する検出信号を出力する複数の歪センサＳ１〜Ｓ４からなる検出センサＳ´を具備し、制御部１２にて、これらの複数の歪センサＳ１〜Ｓ４で検出された変形に係る検出データから、表示部１１上のポインタＰの座標変換を行うようにした。
これにより、第１実施形態の表示装置Ｅ１では、ユーザーが表示部１１を変形させるだけで、その変形に対応した検出データが複数の歪センサＳ１〜Ｓ４から出力されることから、当該検出データから、歪センサＳ１〜Ｓ４の配置方向に対応した表示部１１上のポインタＰの移動方向とともに、移動量及び移動速度を演算し、その演算結果に基づき、表示部１１上のポインタＰの座標変換を行うものである。
すなわち、第１実施形態の表示装置Ｅ１では、これまでのようなタッチパネル上での直接操作、又はカーソルボタン、マウスなどの別途な入力ツールを必要とせずに、ユーザーが表示部１１を変形させるだけで、当該座標データに基づき容易に表示画面上のポインタ操作を行うことが可能となる。
【００２６】
なお、第１実施形態に係る表示装置Ｅ１の具体的な使用方法としては、図５Ａに示されるように、ユーザーが両手で左右の側縁部を把持し、表示部１１を矢印Ａ〜Ｄで示す方向、及び／又はこれら方向を組み合わせた方向に該表示部１１を湾曲させることにより、ポインタの座標位置を変換する。
また、これに加えて、図５Ｂに示されるように、表示部１１に表示される画像とともに、ポインタの座標位置に関するデータを、モニターなどの大型画像装置に転送し、該画像装置にて、表示部１１内の表示画像及びポインタ画像を観るように構成しても良い。
【００２７】
（第２実施形態）
本発明の第２実施形態に係る表示装置Ｅ２〜Ｅ４について、図６Ａ〜６Ｄを参照して説明する。
これらの図に示される表示装置Ｅ２〜Ｅ４が、第１実施形態に示される表示装置Ｅ１と異なるのは、検出センサＳ´となる歪センサの配置パターンである。
上述のように、検出センサＳ´は、表示部１１の裏面にて異なる方向（本例ではＸ−Ｙ方向）に複数設置されている（１つの方向に１つ以上のセンサ）ものであるが、本実施形態では、様々な配置パターンが提示されている。
【００２８】
具体的には、図２に示される第１実施形態の表示装置Ｅ１では、歪センサＳ２とＳ４の間に、歪センサＳ１とＳ３を配置しているが、第２実施形態の図６Ａに示される表示装置Ｅ２では、歪センサＳ１とＳ３の間に、歪センサＳ２とＳ４を配置している。
また、第２実施形態の図６Ｂに示される表示装置Ｅ３では、歪センサＳ１〜Ｓ４で囲まれた内部に、図中上下方向に、歪センサＳ５、Ｓ６を追加配置している。
さらに、第２実施形態の図６Ｃに示される表示装置Ｅ４では、歪センサＳ１〜Ｓ４で囲まれた内部に、図中水平方向に、歪センサＳ７、Ｓ８を追加配置している。
さらに、第２実施形態の図６Ｄに示される表示装置Ｅ５では、四隅の内、図中右下の一つの隅部のみに集中して歪センサＳ３、Ｓ４を配置している。この構成により、一つの隅部を片手（一般的な利き腕である右手）で持った状態で表示装置Ｅ５を変形させて操作することができる。また変形する領域が一つの隅部に限定されることから、操作に伴って表示画面が変形する（歪む）範囲を最小限にすることができる。
【００２９】
そして、これら実施形態に示される表示装置Ｅ１〜Ｅ５では、検出センサＳ´となる歪センサＳ１〜Ｓ８を様々な配置パターンで設置することによって、該表示装置の使用形態に応じたポインタＰの座標変換が可能となる。
すなわち、これら表示装置Ｅ１〜Ｅ５では、使用形態に応じて歪センサＳ１〜Ｓ８の配置パターンを適宜選択することによって、歪センサＳ１〜Ｓ８の配置方向に対応した表示部１１上のポインタＰの移動方向とともに、移動量及び移動速度を正確に演算し、その演算結果に基づき、表示部１１上のポインタＰの座標変換を正確に行うことができる。
また表示装置によって変更されるパラメータは、三次元座標の各軸方向の変化量に限らず、画像を時間軸方向へ変化させる（即ち、動画表示）場合の速さや、画面の輝度、色バランス、コントラスト等を変化させる制御に利用しても良い。
なお、歪センサＳ１〜Ｓ８の寸法が大きく、あるいは数が多いほど（歪センサを設ける領域が大きいほど）微妙な操作や多様な操作が可能となるが、歪センサＳ１〜Ｓ８の寸法、数をあえて少なくして、操作に伴って変形する表示画面の範囲を小さくすることも有効である。
【００３０】
以上、本発明の実施形態について図面を参照して詳述したが、具体的な構成はこの実施形態に限られるものではなく、本発明の要旨を逸脱しない範囲の設計変更等も含まれる。  
【００３１】
この出願は、２０１４年９月１９日に出願された日本出願特願２０１４−１９１８２６号を基礎とする優先権を主張し、その開示の全てをここに取り込む。
【産業上の利用可能性】
【００３２】
本発明は、ユーザーが表示部を特定の方向に湾曲させることにより、表示画面内のポインタを自在に操作することができる表示装置に関する。
【符号の説明】
【００３３】
１  表示部
２  制御部
１１  表示部
１２  制御部
Ｅ  表示装置
Ｅ１  表示装置
Ｅ２  表示装置
Ｅ３  表示装置
Ｅ４  表示装置
Ｓ  検出センサ
Ｓ´  検出センサ
【図１】
2016043138.tif 000003
【図２】
2016043138.tif 000004
【図３】
2016043138.tif 000005
【図４】
2016043138.tif 000006
【図５Ａ】
2016043138.tif 000007
【図５Ｂ】
2016043138.tif 000008
【図６Ａ】
2016043138.tif 000009
【図６Ｂ】
2016043138.tif 000010
【図６Ｃ】
2016043138.tif 000011
【図６Ｄ】
2016043138.tif 000012
【国際調査報告】
2016043138.tif 000013
2016043138.tif 000014